【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
撮像素子により撮像した被写体の画像情報を記録媒体に記録するデジタルカメラにおいて、
所定の撮影条件を設定する設定手段と、
カメラ本体の移動方向または移動量の異なる複数の動きを検出する検出手段と、
前記所定の撮影条件を変化させるために用いるカメラ本体の動きを、前記検出手段により検出可能な複数の動きの中から使用者に選択させる第１の選択手段と、
前記第１の選択手段により選択された動きを前記検出手段が検出した場合に、前記所定の撮影条件を変化させる制御手段と、
を備えたことを特徴とするデジタルカメラ。
【請求項２】
前記設定手段は、複数の撮影条件の各々を設定し、
前記第１の選択手段により選択されたカメラ本体の動きに応じて変化させる撮影条件を、前記複数の撮影条件の中から使用者に選択させる第２の選択手段を更に備え、
前記制御手段は、前記第１の選択手段により選択された動きを前記検出手段が検出した場合に、前記前記第２の選択手段により選択された撮影条件を変化させることを特徴とする請求項１記載のデジタルカメラ。
【請求項３】
前記検出手段は、カメラ本体における複数方向の動きを検出し
前記第１の選択手段は、前記所定の撮影条件を変化させるために用いるカメラ本体の動きの方向を、前記検出手段により検出される複数方向の動きの中から使用者に選択させ、
前記制御手段は、前記第１の選択手段により選択された方向にカメラ本体が動いた場合に、前記所定の撮影条件を変化させることを特徴とする請求項２記載のデジタルカメラ。
【請求項４】
前記検出手段は、カメラ本体の移動量を検出し、
前記第１の選択手段は、前記カメラ本体の移動量に対する前記所定の撮影条件の変化量の比率を使用者に設定させ、
前記制御手段は、カメラ本体が動いた場合に、前記変化量設定手段により設定された比率となるように、カメラ本体の移動量に応じて前記所定の撮影条件を変化させることを特徴とする請求項３記載のデジタルカメラ。
【請求項５】
前記設定手段は、前記複数の撮影条件のうち、前記第２の選択手段により選択されなかった撮影条件を、使用者のキー操作に応じて設定することを特徴とする請求項４記載のデジタルカメラ。
【請求項６】
前記制御手段は、前記検出手段により検出されるカメラ本体の移動量が所定以上である場合に撮影条件を変化させ、前記検出手段により検出されるカメラ本体の移動量が所定以下である場合に撮影条件を変化させないことを特徴とする請求項５記載のデジタルカメラ。
【請求項７】
前記複数の撮影条件には、少なくともズーム倍率、露光時間、絞り値のうちのいずれかの撮影条件が含まれることを特徴とする請求項１乃至６記載のデジタルカメラ。
【請求項８】
前記検出手段により検出されるカメラ本体の特定方向の動きは、撮影方向におけるカメラ本体の前後動であるとともに、当該動きに対応して変化させる撮影条件はズーム倍率の変更であることを特徴とする請求項７記載のデジタルカメラ。
【請求項９】
前記検出手段はカメラ本体と撮影者との離間距離を検出する距離センサを含み、当該距離センサの検出結果に基づきカメラ本体の前後動及び移動量を検出し、
前記制御手段は、前記検出手段により検出されたカメラ本体の前後動及び移動量に応じたズーム倍率の設定処理を行うことを特徴とする請求項７記載のデジタルカメラ。
【請求項１０】
前記検出手段は加速度センサを含み、当該加速度センサの検出結果に基づきカメラ本体の撮影方向における移動の開始と停止とを検出し、前記制御手段は、カメラ本体の撮影方向における移動の開始と停止とに対応してズーム倍率の変更開始処理と変更停止処理とを実施することを特徴とする請求項７記載のデジタルカメラ。
【請求項１１】
前記検出手段は加速度センサを含み、当該加速度センサの検出結果に基づきカメラ本体の撮影方向における移動速度を検出し、前記制御手段は、当該移動速度に対応する速度によるズーム倍率の変更処理を実施することを特徴とする請求項７記載のデジタルカメラ。
【請求項１２】
撮像素子により撮像した被写体の画像情報を記録媒体に記録するデジタルカメラにおいて、
複数の撮影条件の各々を設定する設定手段と、
カメラ本体における特定方向の動きを検出する検出手段と、
前記特定方向の動きに応じて変化させる撮影条件を、前記設定手段により設定される複数の撮影条件の中から使用者に選択させる選択手段と、
前記特定方向にカメラ本体が動いた場合に、前記選択手段により選択された撮影条件を変化させる制御手段と、
を備えたことを特徴とするデジタルカメラ。
【請求項１３】
前記カメラ本体の移動量に対する前記選択手段により選択された撮影条件の変化量の比率を使用者に設定させる変化量設定手段を更に備え、
前記制御手段は、前記特定方向にカメラ本体が動いた場合に、前記変化量設定手段により設定された比率となるように、カメラ本体の移動量に応じて前記選択手段により選択された撮影条件を変化させることを特徴とする請求項１２記載のデジタルカメラ。
【請求項１４】
所定の撮影条件を設定して撮影記録を行う撮影手段と、カメラ本体の移動方向または移動量の異なる複数の動きを検出する検出手段を有するデジタルカメラにおける動作方法であって、
前記所定の撮影条件を変化させるために用いるカメラ本体の動きを、前記検出手段により検出可能な複数の動きの中から使用者に選択させる第１の選択工程と、
前記第１の選択工程により選択された動きを前記検出手段が検出した場合に、前記所定の撮影条件を変化させる制御工程と、
を含むことを特徴とするデジタルカメラの動作方法。
【請求項１５】
撮像素子により撮像した被写体の画像情報を記録媒体に記録するデジタルカメラが有するコンピュータを、
所定の撮影条件を設定する設定手段と、
カメラ本体の移動方向または移動量の異なる複数の動きを検出する検出手段と、
前記所定の撮影条件を変化させるために用いるカメラ本体の動きを、前記検出手段により検出可能な複数の動きの中から使用者に選択させる第１の選択手段と、
前記第１の選択手段により選択された動きを前記検出手段が検出した場合に、前記所定の撮影条件を変化させる制御手段と、
して機能させるためのプログラム。
【手続補正２】
【補正対象書類名】明細書
【補正対象項目名】０００６
【補正方法】変更
【補正の内容】
【０００６】
前記課題を解決するため請求項１の発明にあっては、撮像素子により撮像した被写体の画像情報を記録媒体に記録するデジタルカメラにおいて、所定の撮影条件を設定する設定手段と、カメラ本体の移動方向または移動量の異なる複数の動きを検出する検出手段と、前記所定の撮影条件を変化させるために用いるカメラ本体の動きを、前記検出手段により検出可能な複数の動きの中から使用者に選択させる第１の選択手段と、前記第１の選択手段により選択された動きを前記検出手段が検出した場合に、前記所定の撮影条件を変化させる制御手段と、を備えたことを特徴とする。
【手続補正３】
【補正対象書類名】明細書
【補正対象項目名】０００７
【補正方法】変更
【補正の内容】
【０００７】
また、請求項２の発明にあっては、前記設定手段は、複数の撮影条件の各々を設定し、前記第１の選択手段により選択されたカメラ本体の動きに応じて変化させる撮影条件を、前記複数の撮影条件の中から使用者に選択させる第２の選択手段を更に備え、前記制御手段は、前記第１の選択手段により選択された動きを前記検出手段が検出した場合に、前記前記第２の選択手段により選択された撮影条件を変化させることを特徴とする。
【手続補正４】
【補正対象書類名】明細書
【補正対象項目名】０００８
【補正方法】変更
【補正の内容】
【０００８】
また、請求項３の発明にあっては、前記検出手段は、カメラ本体における複数方向の動きを検出し前記第１の選択手段は、前記所定の撮影条件を変化させるために用いるカメラ本体の動きの方向を、前記検出手段により検出される複数方向の動きの中から使用者に選択させ、前記制御手段は、前記第１の選択手段により選択された方向にカメラ本体が動いた場合に、前記所定の撮影条件を変化させることを特徴とする。
【手続補正５】
【補正対象書類名】明細書
【補正対象項目名】０００９
【補正方法】変更
【補正の内容】
【０００９】
また、請求項４の発明にあっては、前記検出手段は、カメラ本体の移動量を検出し、前記第１の選択手段は、前記カメラ本体の移動量に対する前記所定の撮影条件の変化量の比率を使用者に設定させ、前記制御手段は、カメラ本体が動いた場合に、前記変化量設定手段により設定された比率となるように、カメラ本体の移動量に応じて前記所定の撮影条件を変化させることを特徴とする。
【手続補正６】
【補正対象書類名】明細書
【補正対象項目名】００１０
【補正方法】変更
【補正の内容】
【００１０】
また、請求項５の発明にあっては、前記設定手段は、前記複数の撮影条件のうち、前記第２の選択手段により選択されなかった撮影条件を、使用者のキー操作に応じて設定することを特徴とする。
【手続補正７】
【補正対象書類名】明細書
【補正対象項目名】００１１
【補正方法】変更
【補正の内容】
【００１１】
また、請求項６の発明にあっては、前記制御手段は、前記検出手段により検出されるカメラ本体の移動量が所定以上である場合に撮影条件を変化させ、前記検出手段により検出されるカメラ本体の移動量が所定以下である場合に撮影条件を変化させないことを特徴とする。
【手続補正８】
【補正対象書類名】明細書
【補正対象項目名】００１２
【補正方法】変更
【補正の内容】
【００１２】
また、請求項７の発明にあっては、前記複数の撮影条件には、少なくともズーム倍率、露光時間、絞り値のうちのいずれかの撮影条件が含まれることを特徴とする。
【手続補正９】
【補正対象書類名】明細書
【補正対象項目名】００１３
【補正方法】変更
【補正の内容】
【００１３】
また、請求項８の発明にあっては、前記検出手段により検出されるカメラ本体の特定方向の動きは、撮影方向におけるカメラ本体の前後動であるとともに、当該動きに対応して変化させる撮影条件はズーム倍率の変更であることを特徴とする。
【手続補正１０】
【補正対象書類名】明細書
【補正対象項目名】００１４
【補正方法】変更
【補正の内容】
【００１４】
また、請求項９の発明にあっては、前記検出手段はカメラ本体と撮影者との離間距離を検出する距離センサを含み、当該距離センサの検出結果に基づきカメラ本体の前後動及び移動量を検出し、
前記制御手段は、前記検出手段により検出されたカメラ本体の前後動及び移動量に応じたズーム倍率の設定処理を行うことを特徴とする。
【手続補正１１】
【補正対象書類名】明細書
【補正対象項目名】００１５
【補正方法】変更
【補正の内容】
【００１５】
また、請求項１０の発明にあっては、前記検出手段は加速度センサを含み、当該加速度センサの検出結果に基づきカメラ本体の撮影方向における移動の開始と停止とを検出し、前記制御手段は、カメラ本体の撮影方向における移動の開始と停止とに対応してズーム倍率の変更開始処理と変更停止処理とを実施することを特徴とする。
【手続補正１２】
【補正対象書類名】明細書
【補正対象項目名】００１６
【補正方法】変更
【補正の内容】
【００１６】
また、請求項１１の発明にあっては、前記検出手段は加速度センサを含み、当該加速度センサの検出結果に基づきカメラ本体の撮影方向における移動速度を検出し、前記制御手段は、当該移動速度に対応する速度によるズーム倍率の変更処理を実施することを特徴とする。
【手続補正１３】
【補正対象書類名】明細書
【補正対象項目名】００１７
【補正方法】変更
【補正の内容】
【００１７】
また、請求項１２の発明にあっては、撮像素子により撮像した被写体の画像情報を記録媒体に記録するデジタルカメラにおいて、複数の撮影条件の各々を設定する設定手段と、カメラ本体における特定方向の動きを検出する検出手段と、前記特定方向の動きに応じて変化させる撮影条件を、前記設定手段により設定される複数の撮影条件の中から使用者に選択させる選択手段と、前記特定方向にカメラ本体が動いた場合に、前記選択手段により選択された撮影条件を変化させる制御手段と、
を備えたことを特徴とする。
【手続補正１４】
【補正対象書類名】明細書
【補正対象項目名】００１８
【補正方法】変更
【補正の内容】
【００１８】
また、請求項１３の発明にあっては、前記カメラ本体の移動量に対する前記選択手段により選択された撮影条件の変化量の比率を使用者に設定させる変化量設定手段を更に備え、前記制御手段は、前記特定方向にカメラ本体が動いた場合に、前記変化量設定手段により設定された比率となるように、カメラ本体の移動量に応じて前記選択手段により選択された撮影条件を変化させることを特徴とする。
【手続補正１５】
【補正対象書類名】明細書
【補正対象項目名】００１９
【補正方法】変更
【補正の内容】
【００１９】
以上のように本発明においては、カメラ本体の移動方向または移動量の異なる複数の動きの中から撮影条件を変化させるために用いる動き使用者に選択設定させ、この選択設定された動きを検出した場合に、撮影条件を変化させるようにした。よって、小型化や液晶モニタの大画面化に際しても撮影時の作業性を確保することが可能なデジタルカメラ、及びその動作方法を提供することが可能となる。